(57)【要約】  本開示は、プリンタ及びプリンタシステムに関するものである。前記プリンタは、本体、吸着アセンブリ、印刷アセンブリ及び行進アセンブリを含む。プリンタには、吸着アセンブリ及び行進アセンブリが備えられ、本体の底部には、空気ポンピング機構の空気進入通路と連通される空気入口が備えられ、本体の上部には、空気ポンピング機構の空気排出通路と連通される空気の出口が備えされる。これによって、プリンタが空気ポンピング機構を利用して水平面、垂直面、斜面等の環境が複雑な印刷待機面に吸着されることができ、本体の底部に備えられる行進機構と印刷アセンブリが配合されて、印刷待ちの面で所定の経路に沿って印刷することができる。したがって、前記の改善により、プリンタが印刷環境に適応する能力を向上させることができ、操作利便性とインテリジェンスを向上させることができる。【選択図】図３
2021509865.tif 000002
【特許請求の範囲】
【請求項１】
印刷待ち面に近い底部及び前記底部に相対する上部を含み、前記底部には空気入口及びインク出口が備えられ、前記上部には空気出口が備えられる本体と、
前記本体内に組み立てられ、空気ポンピング機構を含み、前記空気ポンピング機構の空気進入通路と前記空気入口が連通され、前記空気ポンピング機構の空気排出通路と前記空気出口が連通される吸着アセンブリと、
前記本体内に組み立てられ、メイン制御部材及び前記メイン制御部材と電気的に接続されるインク出力機構を含み、前記インク出力機構と前記インク出口が連通される印刷アセンブリと、
前記本体の前記底部に組み立てされ、前記メイン制御部材と電気的に接続される行進アセンブリと、を含むことを特徴とするプリンタ。
【請求項２】
前記上部は開口及び前記開口に移動可能に配置されるカバープレートを含み、
前記本体内部には前記開口に対応する収納部が備えられ、
前記印刷アセンブリは、前記インク出力機構と接続されるインクカートリッジをさらに含み、
前記インクカートリッジは、前記収納部に組み立てられることを特徴とする請求項１に記載のプリンタ。
【請求項３】
前記吸着アセンブリは吸引力検出機構をさらに含み、前記吸引力検出機構は前記空気ポンピング機構と電気的に接続されることを特徴とする請求項１に記載のプリンタ。
【請求項４】
前記底部はエッジ領域を含み、前記インク出口は、前記エッジ領域に備えられることを特徴とする請求項１に記載のプリンタ。
【請求項５】
前記空気入口は複数のストリップ穴を含み、複数の前記ストリップ穴は配列されて配置されることを特徴とする請求項１に記載のプリンタ。
【請求項６】
前記空気ポンピング機構は、タービンを含むことを特徴とする請求項１に記載のプリンタ。
【請求項７】
前記行進アセンブリは、少なくとも一つのキャタピラを含むことを特徴とする請求項１に記載のプリンタ。
【請求項８】
前記行進アセンブリは、２つの前記キャタピラを含み、２つの前記キャタピラは、それぞれ前記空気入口の両側に備えられることを特徴とする請求項７に記載のプリンタ。
【請求項９】
前記キャタピラの材質は、柔軟な接着剤を含むことを特徴とする請求項７に記載のプリンタ。
【請求項１０】
外部制御装置と、請求項１から請求項９の中のいずれか一項に記載されたプリンタとを含み、
前記外部制御装置は第１の関連モジュールを含み、前記メイン制御部材は第２の関連モジュールを含み、前記第１の関連モジュールと第２の関連モジュールが関連して、印刷データを送信することを特徴とするプリンタシステム。
【発明の詳細な説明】
【技術分野】
【０００１】
本願は２０１８年１１月２３日に提出した中国専利出願２０１８１１４０３９１５．１号の優先権を主張し、上記中国専利出願全ての内容を本願に引用して参考とする。
本開示は、プリンタの技術分野に関するものであり、特にプリンタとプリンタシステムに関するものである。
【背景技術】
【０００２】
関連技術において、プリンタは、壁面に対して印刷することができ、所定のパターンを指定された壁面に印刷させることができる。しかし、全体の壁面に対して印刷をするために、プリンタを手で持って壁に移動したり、プリンタに活動軌道を設置する必要があるので、プリンタの操作の複雑さと構造の複雑さを増大させた。
【０００３】
したがって、操作が便利で、構造が簡単なプリンタを得ることが当該分野で注目して研究している問題となっている。
【発明の概要】
【発明が解決しようとする課題】
【０００４】
本開示は、プリンタとプリンタシステムを提供して、プリンタの操作利便性を向上させ、同時にプリンタの構造の複雑度を低下させる。
【課題を解決するための手段】
【０００５】
本公開の第１方面に基づくプリンタは、
印刷待ち面に近い底部及び前記底部に相対する上部を含み、前記底部には空気入口及びインク出口が備えられ、前記上部には空気出口が備えられる本体と、
前記本体内に組み立てられ、空気ポンピング機構を含み、前記空気ポンピング機構の空気進入通路と前記空気入口が連通され、前記空気ポンピング機構の空気排出通路と前記空気出口が連通される吸着アセンブリと、
前記本体内に組み立てられ、メイン制御部材及び前記メイン制御部材と電気的に接続されるインク出力機構を含み、前記インク出力機構と前記インク出口が連通される印刷アセンブリと、
前記本体の前記底部に組み立てされ、前記メイン制御部材と電気的に接続される行進アセンブリと、を含む。
【０００６】
オプションで、前記上部は開口及び前記開口に移動可能に配置されるカバープレートを含み、
前記本体内部には前記開口に対応する収納部が備えられ、
前記印刷アセンブリは、前記インク出力機構と接続されるインクカートリッジをさらに含み、
前記インクカートリッジは、前記収納部に組み立てられる。
【０００７】
オプションで、前記吸着アセンブリは吸引力検出機構をさらに含み、前記吸引力検出機構は前記空気ポンピング機構と電気的に接続される。
【０００８】
オプションで、前記底部はエッジ領域を含み、前記インク出口は、前記エッジ領域に備えられる。
【０００９】
オプションで、前記空気入口は複数のストリップ穴を含み、複数の前記ストリップ穴は配列されて配置される。
【００１０】
オプションで、前記空気ポンピング機構は、タービンを含む。
【００１１】
オプションで、前記行進アセンブリは、少なくとも一つのキャタピラを含む。
【００１２】
オプションで、前記行進アセンブリは、２つの前記キャタピラを含み、２つの前記キャタピラは、それぞれ前記空気入口の両側に備えられる。
【００１３】
オプションで、前記キャタピラの材質は、柔軟な接着剤を含む。
【００１４】
本開示の第二方面のプリンタシステムは、外部制御装置と、上記のプリンタとを含み、
前記外部制御装置は第１の関連モジュールを含み、前記メイン制御部材は第２の関連モジュールを含み、前記第１の関連モジュールと第２の関連モジュールが関連して、印刷データを送信する。
【００１５】
本公開の実施例の技術案によれば、次のような有益な効果を得ることができる。
【００１６】
本公開のプリンタには、吸着アセンブリ及び行進アセンブリが備えられ、本体の底部には、空気ポンピング機構の空気進入通路と連通される空気入口が備えられ、本体の上部には、空気ポンピング機構の空気排出通路と連通空気出口が備えられる。これによって、プリンタが空気ポンピング機構により水平面、垂直面、斜面等の環境が複雑な印刷待機面に吸着されることができ、本体の底部に備えられる行進機構と印刷アセンブリが配合して、印刷待ちの面で所定の経路に沿って印刷することができる。したがって、上記改善によって、プリンタが印刷環境に適応する能力を向上させることができ、操作利便性とインテリジェンスを向上させることができる。
【００１７】
理解するのは、上記の一般的な説明と後述する詳細な説明は、単に例示的で解釈的なものであり、本開示を限定するものではない。
【図面の簡単な説明】
【００１８】
ここの図面は、明細書に併合されて明細書の一部を構成し、本発明に合致する実施例を示し、明細書と一緒に本発明の原理を解釈する。
【図１】本公開の一例示的な実施形態によるプリンタの一角度からの斜視図である。
【図２】本公開の一例示的な実施形態によるプリンタの別の角度からの斜視図である。
【図３】本公開の一例示的な実施形態によるプリンタの応用場面の例示図である。
【図４】本公開の他の一例示的な実施形態によるプリンタの斜視図である。
【図５】は、本公開のもう一つの一例示的な実施形態によるプリンタシステムの応用場面の例示図である。
【発明を実施するための形態】
【００１９】
以下、例示的な実施例について詳細に説明し、その実施例を図面に表示する。図面について説明するとき、別の説明がない場合、異なる図面での同じ数は同一なまたは類似する要素を表示する。以下、例示的な実施例で説明する実施方式は、本発明と一致するすべての実施方式を代表するものではない。逆に、これは添付されている請求の範囲に記載される本発明の一方面と一致する装置及び方法の一例に過ぎない。
【００２０】
関連技術において、多くの壁効果は、印刷を通じて実現する。つまり、プリンタを利用して、所定のパターンを指定された壁面に印刷する。しかし、一般的には、壁面の面積が比較的大きく、壁面の傾斜及び平坦度の状況が比較的に複雑である。プリンタは、全体の壁に対して印刷するために、プリンタを手に持って壁に移動したり、プリンタに活動軌道を設置する必要があります。これは、プリンタの操作の複雑さと構造の複雑さを大幅に増大させた。
【００２１】
図１は、本公開の一例示的な実施形態によるプリンタを一角度から見た斜視図であり、図２は、本公開の一例示的な実施形態によるプリンタを別の角度から見た斜視図であり、図３は、本公開の一例示的な実施形態によるプリンタの応用場面を例示した図である。図１、図２、図３に示すように、上記プリンタ１は、本体１１、吸着アセンブリ１３、印刷アセンブリ１２及び行進アセンブリ１４を含む。ここで、本体１１は、印刷待ち面２に近い底部１１２及び底部１１２と相対する上部１１１を含み、底部１１２には空気入口１１２１及びインク出口１１２２が備えられ、上部１１１には空気出口１１１１が備えられる。印刷アセンブリ１２は本体１１内に組み立てられ、印刷アセンブリ１２は、メイン制御部材１２１及びメイン制御部材１２１と電気的に接続されるインク出力機構１２２を含み、インク出力機構１２２は、インク出口１１２２と連通して制御され、印刷待ち面２に対して印刷動作を実行する。行進アセンブリ１４は、本体１１の底部１１２に組み立てられ、行進アセンブリ１４は、メイン制御部材１２１と電気的に接続されて制御され、計画経路２１に沿って行進する。吸着アセンブリ１３は本体１１内に組み立てられ、吸着アセンブリ１３は空気ポンピング機構１３１を含み、空気ポンピング機構１３１の空気進入通路と空気入口１１２１が連通され、空気ポンピング機構１３１の空気排出通路と空気出口１１１１が連通して、プリンタ１の底部１１２の空気を抽出し、気圧を利用してプリンタ１を印刷待ち面２に吸着させる。
【００２２】
空気ポンピング機構１３１は、気圧を利用してプリンタ１を印刷待ち面２に付着させるので、印刷待機面２の環境要素による影響が比較的に小さい。上記プリンタ１は、水平面、垂直面、斜面、天井などの環境が複雑な印刷待ち面２に付着することができ、本体１１の底部１１２に備えられる行進機構と印刷アセンブリ１２が協力して、印刷待ち面２で計画経路２１に沿って印刷する。したがって、上記のような改善により、プリンタ１が印刷環境に適応する能力を向上させ、過度の操作利便性とインテリジェンスを向上させた。
【００２３】
上記実施例において、メイン制御部材１２１は、印刷待ち面２の実際環境の状況に基づいて、経路を計画し、行進アセンブリ１４とインク出力機構１２２と関連して、行進アセンブリ１４とインク出力機構１２２の動作を同期にし、設定グラフィック３２の印刷を実現する。例えば、メイン制御部材１２１は、印刷待ち面２の大きさに基づいて、設定グラフィック３２の分布を分析し、印刷待ち面２での障害を避けるなど複数の機能を実行することができる。ここで、設定グラフィック３２は、メイン制御部材１２１にあらかじめ記憶することができ、外部制御装置３と関連して設定グラフィック３２のデータを転送することもできる。本開示は、これに限定されない。
【００２４】
以下、印刷アセンブリ１２、吸着アセンブリ１３及び行進アセンブリ１４の構造及び組み立てる方式について例示的に説明する。
＜１、吸着アセンブリ１３＞
【００２５】
図１、図２、図３に示すように、上記吸着アセンブリ１３は、空気ポンピング機構１３１及び吸引力検出機構１３２を含み、空気ポンピング機構１３１の空気進入通路は空気入口１１２１と連通し、空気ポンピング機構１３１の空気排出通路は空気出口１１１１と連通して、プリンタ１の底部１１２の空気を抽出し、気圧を利用してプリンタ１を印刷待ち面２に吸着させる。ここで、前記吸引力検出機構１３２は空気ポンピング機構１３１と電気的に接続され、プリンタ１の吸着力に対して検出するとともに、吸着力の大きさに応じて空気ポンピング機構１３１の空気吸入量を調節する。
【００２６】
具体的には、プリンタ１がでこぼこした壁で動作することを一例として、プリンタ１が行進する過程で上下方向に移動すると、プリンタ１の底部１１２の空気量が増加したり減少したりすることができる。つまり、プリンタ１が受ける吸着力はこれによって変化する。吸着力が小さくなったとき、吸引力検出機構１３２は吸着力が減少されたという情報を空気ポンピング機構１３１に伝達して空気ポンピング機構１３１の空気吸入量を増加させて吸着力を向上させることができ、吸着力が大きくなったとき、吸引力検出機構１３２は吸着力が大きくなったという情報を空気ポンピング機構１３１に伝達して空気ポンピング機構１３１の空気吸入量を減少させて吸着力を減少させることができる。吸着力が小さい場合は、プリンタ１が動作する過程で落ちてしまう危険が存在し、吸着力が大きくなった場合は、プリンタ１と印刷待機面２との間に比較的に大きな摩擦力が発生する。したがって、吸引力検出機構１３２を利用して吸着力を調整することは、プリンタ１の使用の安全性と動作効率を向上させることができる。
【００２７】
上記実施例において、前記空気入口１１２１は本体１１の底部１１２に備えられて、空気ポンピング機構１３１と協力して、プリンタ１の底部１１２の空気を抽出する。ここで、前記空気入口１１２１は、配列して設置される複数のストリップ穴を含むことができ、配列されて設置されたストリップ穴は、プリンタ１の外部美観を向上させることだけでなく、空気入口１１２１が過度に大きいことによって多くの不純物が吸入されることを避けることができ、空気ポンピング機構１３１の動作安定性を向上させることができる。
【００２８】
ただし、上記空気ポンピング機構１３１はタービンであることができ、空気の吸入機能を発揮できる他のデバイスであることもできる。本開示は、これに限定されない。空気ポンピング機構１３１がタービンである場合、プリンタ１の大きさに応じて、その大きさにマッチングされるタービンを選択して、プリンタ１の内部空間の利用率を向上させることができる。
＜２、行進アセンブリ１４＞
【００２９】
図１、図２、図３に示すように、様々なタイプの印刷待ち面２で行進できるように、上記行進アセンブリ１４は、キャタピラ（ｃａｔｅｒｐｉｌｌａｒ）、ロール等の各種機構であることができる。本開示は、これに限定されない。行進アセンブリ１４がキャタピラである場合、上記の行進アセンブリ１４は、少なくとも一つのキャタピラを含むことができ、キャタピラの広さとプリンタ１の底部１１２の広さがマッチングされ、キャタピラが運動して、プリンタ１の全体的移動させる。または、上記行進アセンブリ１４は、２つのキャタピラを含むこともでき、２つのキャタピラはそれぞれ空気入口１１２１の両側に設置されて、キャタピラがプリンタ１の底部１１２の空間を過度に占めることを避けることができ、プリンタ１が移動する過程の中での安定性と円滑性を向上させることができる。
【００３０】
ただし、上記キャタピラの材質はＰＥ（ｐｏｌｙｅｔｈｙｌｅｎｅ、ポリエチレン）、ＰＰ（Ｐｏｌｙｐｒｏｐｙｌｅｎｅ、ポリプロピレン）などの柔軟な接着剤であることができる。柔軟な接着剤の材質のキャタピラはプリンタ１が行進する過程でぶつかることを軽減させることができるので、ぶつかることによって落下などの問題を回避することができ、プリンタ１が移動する運動安定性を向上させることができる。
＜３、印刷アセンブリ１２＞
【００３１】
図４に示された実施例において、前記印刷アセンブリ１２は、メイン制御部材１２１、インク出力機構１２２及びインクカートリッジ１２３を含む。ここで、インク出力機構１２２とメイン制御部材１２１とが電気的に接続され、印刷待ちのグラフィックに基づいて、メイン制御部材１２１を利用してインク出力方式について制御する。インク出力機構１２２はインクカートリッジ１２３と連通して、インクカートリッジ１２３中のインクに対して導出処理を行う。上記インクカートリッジ１２３は、統合インクカートリッジ１２３であることができ、プリンタ１内に組み立てられて、インクパイプなどの複雑な構造がプリンタ１の移動の構造への干渉を避けることができる。
【００３２】
上記実施例において、本体１１の上部１１１には開口及び移動可能に開口に配置されるカバープレート１１１２が含まれ、本体１１の内部には開口に対応する収納部１１３が備えられる。上記インクカートリッジ１２３は収納部１１３に組み立てられる。カバープレート１１１２を開いて、インクカートリッジ１２３を着脱したり交換することができ、カバープレート１１１２を閉じて、インクカートリッジ１２３を収納１１３内に包装することができる。したがって、インクカートリッジ１２３の着脱や交換の利便性を向上させることができる。
【００３３】
また、インクの出力機構１２２が本体１１の底部１１２のインク出口１１２２と連通して、インクがインク出口１１２２を介して印刷待ち面２に印刷することができる。ここで、前記底部１１２はエッジ領域を含み、インク出口１１２２はエッジ領域に備えられる。インク出口１１２２をエッジ領域に設置することにより、行進機構及び空気入口１１２１がインク出力動作にたいしての干渉を低減させ、印刷効率を向上させた。
【００３４】
本開示は、プリンタ１システムを提供する。図５に示すように、上記プリンタ１システムは、外部制御装置３及び上記プリンタ１を含む。外部制御装置３は第１の関連モジュール３１を含み、メイン制御部材１２１は第２の関連モジュールを含み、第１の関連モジュール３１と第２の関連モジュールが関連して印刷データを送信することができる。これにより、プリンタ１システムの使い便利さとインテリジェンスを向上させることができる。
【００３５】
上記プリンタ１は、空気ポンピング機構１３１を利用して、水平面、垂直面、斜面等の環境が複雑な印刷待ち面２に吸着され、本体１１の底部１１２に備えられる行進機構と印刷アセンブリ１２が配合されて、印刷待ち面２で計画経路２１に沿って印刷することができる。したがって、上記の改善により、プリンタ１が印刷環境に適応する能力を向上させることができ、操作利便性とインテリジェンスを向上させることができる。
【００３６】
上記実施例において、前記第１の関連モジュール３１と第２の関連モジュールの間には、無線ネットワークによって管理されて、接続回路がプリンタ１の動作に影響を与えることを避けることができ、使い便利さを向上させることができる。具体的な動作の過程は次の通りである。プリンタ１の第２の関連モジュールと外部制御装置３の第１の関連モジュール３１を無線ネットワークで接続して、設定グラフィック３２の平面情報やグラフィック情報などは外部制御装置３によってプリンタ１のメイン制御部材１２１に伝達され、メイン制御部材１２１は、受けた設定グラフィックス３２の情報に基づいて計画経路２１を形成する。ユーザーは、プリンタ１をオンさせて、印刷待ち面２の開始点に配置し、プリンタ１は、印刷動作を開始して計画経路２１に沿って平面でグラフィックを描く。プリンタ１には、メイン制御部材１２１と電気的に接続される通知モジュールが備えられることができ、プリンタ１が計画経路２１に沿ってグラフィックスを描画した後、通知モジュールを介してユーザーに通知し、プリンタ１を取ることができる。
【００３７】
ただし、上記外部制御装置３は、携帯電話、パソコンなどであることができ、本開示は、これに制限されない。
【００３８】
当該分野の技術者が明細書を考慮して、開示された内容を実践した後、本開示の他の実施案を容易に考えることができる。本出願は、本開示の任意の変形、用途または適応性の変化をカバーし、これらの変形、用途または適応性の変化は、本開示の一般的な原理に応じて、本開示では開示されていない当該分野の公知常識や慣用技術手段を含んでいる。明細書及び実施例は例示的なものであり、本開示の真の範囲と精神は添付されている請求範囲で示す。
【００３９】
理解すべきことは、本開示は、上記の内容及び図面に示された構造に限定されず、その範囲を逸脱しない限り、各種の変更及び変更を行うことができる。本開示の範囲は、添付されている特許請求の範囲のみによって限定される。
【図１】
2021509865.tif 000003
【図２】
2021509865.tif 000004
【図３】
2021509865.tif 000005
【図４】
2021509865.tif 000006
【図５】
2021509865.tif 000007
【国際調査報告】
2021509865.tif 000008
2021509865.tif 000009
2021509865.tif 000010
2021509865.tif 000011
2021509865.tif 000012